(57)【要約】【課題】カビ菌糸の発生を効果的に抑制しつつ省エネルギ化を図ることができる浴室乾燥装置、浴室乾燥方法およびプログラムを提供する。【解決手段】制御装置１５０は、天井乾燥処理（第１処理）と、側壁・床面乾燥処理（第２処理）とを実行する。天井乾燥処理では、制御装置１５０が、気流が浴室の天井に沿って流れるように風向板１１０ａ、１１０ｃを制御するとともに、熱交換器１０２に温水を供給する。側壁・床面乾燥処理では、制御装置１５０が、気流が浴室１の側壁ＷＡまたは床面ＦＬに向かう方向へ流れるように風向板１１０ａ、１１０ｃを制御するとともに、熱交換器１０２への温水の供給を停止する。【選択図】図３
2016090130.tif 000002
【特許請求の範囲】
【請求項１】
空気を吸い込む吸い込み口と、
空気を吹き出す吹き出し口と、
前記吸い込み口から空気を吸い込むとともに、吸い込んだ空気を前記吹き出し口から吹き出すことにより空気を循環させる循環用送風機と、
前記吹き出し口から吹き出される空気を加熱または冷却することにより、前記吹き出し口から吹き出される空気の湿度を調節する熱交換器と、
前記吹き出し口から出る気流を調節する気流調節部と、
前記気流調節部を制御するとともに、前記熱交換器への熱媒体の供給を制御する制御装置と、を備え、
前記制御装置は、
前記気流が浴室の天井に沿って流れるように前記気流調節部を制御するとともに、前記熱交換器へ前記熱媒体を供給する第１処理と、
前記気流が前記浴室の側壁または床面に向かう方向へ流れるように前記気流調節部を制御するとともに、前記熱交換器への前記熱媒体の供給を停止する第２処理と、を実行する、
浴室乾燥装置。
【請求項２】
前記吸い込み口と複数の前記吹き出し口とを有する筐体を更に備え、
前記気流調節部は、前記吹き出し口それぞれを閉じる機能を有し、
前記制御装置は、
前記複数の吹き出し口の一部を閉じるように前記気流調節部を制御することにより、閉じられた吹き出し口以外の他の吹き出し口から出る気流の速度を、前記複数の吹き出し口の全てが開いた状態で前記複数の吹き出し口それぞれから出る気流の速度に比べて、上昇させる、
請求項１に記載の浴室乾燥装置。
【請求項３】
前記浴室は、洗い場を備え、
前記気流調節部は、
前記浴室内における前記洗い場を含む洗い場エリアへ流れる気流を出す吹き出し口に設けられ、前記洗い場エリアへ流れる気流を出す吹き出し口から出る気流に高い指向性を与える高指向性風向板を含む、
請求項１または２に記載の浴室乾燥装置。
【請求項４】
前記吸い込み口から吸い込まれた空気の一部を前記浴室の外部へ排気する排気送風機を更に備え、
前記浴室は、外部の空気を内部へ流入させる空気流入口を備え、
前記制御装置は、更に、
前記気流調節部を制御して前記気流を前記空気流入口に流す場合、前記排気送風機の排気量が排気量閾値以下となるように前記排気送風機を制御し、前記気流調節部を制御して前記気流を前記空気流入口以外に流す場合、前記排気量が前記排気量閾値よりも大きくなるように前記排気送風機を制御する、
請求項１から３のいずれか１項に記載の浴室乾燥装置。
【請求項５】
前記気流の速度は、前記浴室の天井または側壁に付着した水滴を吹き飛ばす速度に設定されている、
請求項１から４のいずれか１項に記載の浴室乾燥装置。
【請求項６】
浴室内に設置された浴室乾燥装置の吹き出し口から出る気流を調節する気流調節部を制御するとともに、前記吹き出し口から吹き出される空気を加熱または冷却することにより、前記吹き出し口から吹き出される空気の湿度を調節する熱交換器への熱媒体の供給を制御して前記浴室を乾燥させる浴室乾燥方法であって、
前記気流が前記浴室の天井に沿って流れるように前記気流調節部を制御するとともに、前記熱交換器へ前記熱媒体を供給するステップと、
前記気流が前記浴室の側壁または床面に向かう方向へ流れるように前記気流調節部を制御するとともに、前記熱交換器への前記熱媒体の供給を停止するステップと、を含む、
浴室乾燥方法。
【請求項７】
コンピュータを、
気流が浴室の天井に沿って流れるように、前記浴室内に設置された浴室乾燥装置の吹き出し口から出る気流を調節する気流調節部を制御するとともに、前記吹き出し口から吹き出される空気を加熱または冷却することにより、前記吹き出し口から吹き出される空気の湿度を調節する熱交換器へ、熱媒体を供給する第１処理と、
前記気流が前記浴室の側壁または床面に向かう方向へ流れるように前記気流調節部を制御するとともに、前記熱交換器への前記熱媒体の供給を停止する第２処理と、を実行する制御部として機能させるためのプログラム。
【発明の詳細な説明】
【技術分野】
【０００１】
本発明は、浴室乾燥装置、浴室乾燥方法およびプログラムに関する。
【背景技術】
【０００２】
４つの吹き出し口と、各吹き出し口に設けられた風向板とを備え、風向板により吹き出し口から出る気流を浴室の側壁へ流す浴室換気乾燥機が提案されている（例えば特許文献１参照）。特許文献１に記載された浴室換気乾燥機は、浴室乾燥運転時において、気流を浴室の側壁に向けて流し、衣類乾燥運転時において、浴室換気乾燥機の下方に配置された衣類に向けて下方へ気流を流す。
【先行技術文献】
【特許文献】
【０００３】
【特許文献１】特許第３７６４２２０号公報
【発明の概要】
【発明が解決しようとする課題】
【０００４】
ところで、浴室の天井は、手入れがしにくいために側壁や床面に比べて掃除頻度が低くなりやすく（例えば年１回等）、付着した汚れが除去されずに残っていることが多い。従って、水分の多い環境下において、カビ菌糸が発生しやすい。また、一度カビ菌糸が発生すると、発生したカビ菌糸から放出されるカビ胞子が側壁や床面へ落下するので、結果的に側壁や床面でもカビ菌糸を繁殖させてしまう。
【０００５】
しかしながら、特許文献１に記載された浴室換気乾燥機は、吹き出し口から浴室の側壁や床面に向けて気流を流すことができるが、吹き出し口から天井に沿って気流を流すことができない。従って、特許文献１に記載された浴室換気乾燥機では、浴室の天井に水滴が付着した場合、付着した水滴を除去するのに時間がかかってしまい、天井を水分の多い環境に長時間晒すことになる。そうすると、天井にカビ菌糸が発生しやすくなり、ひいては浴室の側壁や床面でもカビ菌糸が繁殖しやすくなる虞がある。
【０００６】
この発明は、上記事由に鑑みてなされたものであり、カビ菌糸の発生を効果的に抑制しつつ省エネルギ化を図ることができる浴室乾燥装置、浴室乾燥方法およびプログラムを提供することを目的とする。
【課題を解決するための手段】
【０００７】
上記目的を達成するために、本発明に係る浴室乾燥装置は、
空気を吸い込む吸い込み口と、
空気を吹き出す吹き出し口と、
前記吸い込み口から空気を吸い込むとともに、吸い込んだ空気を前記吹き出し口から吹き出すことにより空気を循環させる循環用送風機と、
前記吹き出し口から吹き出される空気を加熱または冷却することにより、前記吹き出し口から吹き出される空気の湿度を調節する熱交換器と、
前記吹き出し口から出る気流を調節する気流調節部と、
前記気流調節部を制御するとともに、前記熱交換器への熱媒体の供給を制御する制御装置と、を備え、
前記制御装置は、
前記気流が浴室の天井に沿って流れるように前記気流調節部を制御するとともに、前記熱交換器へ前記熱媒体を供給する第１処理と、
前記気流が前記浴室の側壁または床面に向かう方向へ流れるように前記気流調節部を制御するとともに、前記熱交換器への前記熱媒体の供給を停止する第２処理と、を実行する。
【発明の効果】
【０００８】
本発明では、制御装置が、第１処理の間、気流が浴室の天井に沿って流れるように気流調節部を制御するとともに、熱交換器へ熱媒体を供給する。これにより、天井を素早く乾燥させることができ、天井が高い湿度で放置される時間が短縮されるので、天井にカビ菌糸が繁殖しにくくなる。従って、側壁および床面を含めた浴室全体でのカビ菌糸の発生を効果的に抑制できる。また、制御装置は、第２処理の間、気流が浴室の側壁または床面に向かう方向へ流れるように気流調節部を制御するとともに、熱交換器への熱媒体の供給を停止する。これにより、熱交換器への熱媒体の供給に要する電力を削除することができるので、浴室乾燥装置の消費電力を大幅に抑えることができる。
【図面の簡単な説明】
【０００９】
【図１】実施の形態１に係る浴室乾燥装置を示し、（ａ）は使用例、（ｂ）は下面図である。
【図２】実施の形態１に係る浴室乾燥装置を示し、（ａ）は図１（ｂ）のＡ−Ａ線での断面矢視図、（ｂ）は（ａ）のＢ−Ｂ線での断面矢視図である。
【図３】実施の形態１に係る浴室乾燥装置と浴室とを示す概略図である。
【図４】実施の形態１に係る制御装置のブロック図である。
【図５】実施の形態１に係る設定情報テーブルを示す図である。
【図６】実施の形態１に係る浴室乾燥装置の動作説明図である。
【図７】実施の形態１に係る浴室乾燥処理の流れの一例を示すフローチャートである。
【図８】実施の形態１に係る天井乾燥処理の流れの一例を示すフローチャートである。
【図９】実施の形態１に係る浴室乾燥装置の動作説明図である。
【図１０】実施の形態１に係る浴室乾燥装置の動作説明図である。
【図１１】実施の形態１に係る側壁・床面乾燥処理の流れの一例を示すフローチャートである。
【図１２】実施の形態１に係るカビ抑制処理の流れの一例を示すフローチャートである。
【図１３】（ａ）は比較例に係る浴室乾燥装置での消費電力の経時変化を示す図であり、（ｂ）は実施の形態に係る浴室乾燥装置での消費電力の経時変化を示す図である。
【図１４】実施の形態２に係る設定情報テーブルを示す図である。
【図１５】実施の形態２に係る側壁・床面乾燥処理の流れの一例を示すフローチャートである。
【図１６】変形例に係る浴室乾燥装置を示し、（ａ）は下面図、（ｂ）は（ａ）のＣ−Ｃ線での断面矢視図である。
【図１７】変形例に係る浴室乾燥装置と浴室とを示す概略図である。
【図１８】変形例に係るカビ抑制処理の流れの一例を示すフローチャートである。
【図１９】変形例に係る浴室乾燥装置の断面図である。
【発明を実施するための形態】
【００１０】
以下、本発明の各実施の形態に係る浴室乾燥装置について、添付図面を参照しながら説明する。
【００１１】
（実施の形態１）
本実施の形態に係る浴室乾燥装置は、浴室内に気流を流すことにより浴室内を乾燥させたり、浴室内に干された衣類等を乾燥させたりするためのものである。
浴室乾燥装置１００は、図１（ａ）に示すように、浴室１内の天井ＣＥに設置される筐体１０１を備える。浴室１には、浴槽３や洗い場４が設けられている。浴室乾燥装置１００は、天井ＣＥから側壁ＷＡまたは床面ＦＬへ向かって送風する。浴室１の入り口には、ガラリ（空気流入口）２２を有するドア２１が設置されている。
【００１２】
筐体１０１は、図１（ｂ）に示すように、浴室１内の空気を吸い込む吸い込み口１１２と、浴室１内へ空気を吹き出す４つの吹き出し口１１１ａ、１１１ｂ、１１１ｃ、１１１ｄと、を有する。筐体１０１は、図２（ａ）に示すように、周壁１０１ａと周壁１０１ａで囲まれた領域を２つの領域Ｓ１、Ｓ２に区分する隔壁１０１ｂとを有する。
【００１３】
また、浴室乾燥装置１００は、図１（ｂ）に示すように、各吹き出し口１１１ａ、１１１ｂ、１１１ｃ、１１１ｄから出る気流を調節する風向板（気流調節部）１１０ａ、１１０ｂ、１１０ｃ、１１０ｄを備える。風向板１１０ａ、１１０ｂ、１１０ｃ、１１０ｄは、その傾きを変えることにより吹き出し口１１１ａ、１１１ｂ、１１１ｃ、１１１ｄから出る気流の向きを変えたり、吹き出し口１１１ａ、１１１ｂ、１１１ｃ、１１１ｄを閉じることにより気流を遮断したりする。風向板１１０ａ、１１０ｂ、１１０ｃ、１１０ｄは、いずれも平面視略矩形状である。風向板１１０ａ、１１０ｂ、１１０ｃ、１１０ｄは、それぞれ短手方向における片側且つ長手方向における両端部で、風向板駆動モータ１１３ａ、１１３ｂ、１１３ｃ、１１３ｄと、支持部１１４ａ、１１４ｂ、１１４ｃ、１１４ｄとで支持されている。
【００１４】
風向板駆動モータ１１３ａ、１１３ｂ、１１３ｃ、１１３ｄは、例えばステッピングモータから構成される。風向板駆動モータ１１３ａ、１１３ｂ、１１３ｃ、１１３ｄは、風向板１１０ａ、１１０ｂ、１１０ｃ、１１０ｄを、長手方向に沿った軸周りに回転させることにより、風向板１１０ａ、１１０ｂ、１１０ｃ、１１０ｄの水平方向に対する傾きを変化させる。
【００１５】
また、浴室乾燥装置１００は、図２（ａ）に示すように、筐体１０１内の隔壁１０１ｂによって区分けされた領域Ｓ１、Ｓ２間に介在する熱交換器１０２と、浴室１内の空気を循環させる循環用送風機１０３と、浴室１内の空気の一部を浴室１外部へ排出するための排気送風機１０５と、を備える。そして、浴室乾燥装置１００は、前述の風向板駆動モータ１１３ａ、１１３ｂ、１１３ｃ、１１３ｄ、循環用送風機１０３および排気送風機１０５を制御する制御装置１５０を備える。
【００１６】
熱交換器１０２は、例えばガス瞬間湯沸器から構成される温水供給源（熱媒体供給源）５から温水（熱媒体）が供給されることにより吹き出し口１１１ａ、１１１ｂ、１１１ｃ、１１１ｄから吹き出される空気を加熱する。熱交換器１０２は、図２（ｂ）に示すように、平面視で筐体１０１の略中央部に配置されたファン１０３ａの周囲を囲むように配置されている。熱交換器１０２は、温水が流れる配管と、配管を流れる温水と外部の空気との間での熱交換効率を高めるフィンと、を有する。熱交換器１０２は、図３に示すように、ポンプ１６４が介挿された温水供給管ＴＵ１と、排水管ＴＵ２と、に接続されている。ポンプ１６４は、温水供給源５で生成された温水を、温水供給管ＴＵ１を通じて熱交換器１０２へ供給する。熱交換器１０２を通過した温水は、排水管ＴＵ２へと流れる。ポンプ１６４は、例えば三相ブラシレスモータにより駆動されるインペラを備える渦巻ポンプから構成される。
【００１７】
循環用送風機１０３は、筐体１０１内に配置され、吸い込み口１１２から筐体１０１内に空気を吸い込むとともに、吸い込んだ空気を吹き出し口１１１ａ、１１１ｂ、１１１ｃ、１１１ｄから吹き出すことにより浴室１内の空気を循環させる。
循環用送風機１０３は、図２（ａ）に示すように、ファン１０３ａと、ファン１０３ａを回転させる循環用送風機モータ１０３ｂと、を有する。ファン１０３ａは、例えば遠心ファンから構成される。循環用送風機モータ１０３ｂは、例えば三相ブラシレスモータから構成される。ファン１０３ａが回転すると、浴室１内の空気が、吸い込み口１１２を通じて筐体１０１の領域Ｓ１へ流入し、熱交換器１０２を通って領域Ｓ２内へ流れて吹き出し口１１１ａ、１１１ｂ、１１１ｃ、１１１ｄから吹き出される。これにより、図３に示すように、浴室１内の空気は、浴室１内から吸い込み口１１２を通って吸い込まれ（図３中の矢印Ｄ１参照）、吹き出し口（例えば１１１ａ、１１１ｃ）から浴室１内へ吹き出される（図３中の矢印Ｄ２参照）形で、浴室１内を循環する。
【００１８】
排気送風機１０５は、浴室１内の空気を屋外へ排気する。具体的には、排気送風機１０５は、浴室１内から吸い込み口１１２を介して筐体１０１内部へ吸い込まれた空気の一部を浴室１の外部（屋外）へ排出する。排気送風機１０５は、図２（ａ）に示すように、ファン１０５ａと、ファン１０５ａを回転させる排気送風機モータ１０５ｂと、屋外に連通する空気の流路であるダクト１０５ｃと、を有する。ファン１０５ａは、例えば遠心ファンから構成される。排気送風機モータ１０５ｂは、例えば三相ブラシレスモータから構成される。ファン１０５ａが回転すると、筐体１０１の領域Ｓ１に流入した空気がダクト１０５ｃを通じて浴室１の外部へ排出される（図３中の矢印Ｄ４参照）。このとき、外部へ排気される空気の流量と略同じ流量で、浴室１のドア２１のガラリ２２から浴室１内へ外部の空気が流入し（図３中の矢印Ｄ３１、Ｄ３２参照）、浴室１内の空気と混合する。このようにして、排気送風機１０５は、浴室１の空気の定量換気を行う。
【００１９】
制御装置１５０は、図３に示すように、風向板駆動モータ（例えば１１３ａ）に信号線（例えばＬ２１）を介して接続され、風向板駆動モータの動作を制御する。また、制御装置１５０は、循環用送風機モータ１０３ｂと排気送風機モータ１０５ｂそれぞれに、信号線Ｌ１、Ｌ３を介して接続され、循環用送風機モータ１０３ｂおよび排気送風機モータ１０５ｂの動作を制御する。更に、制御装置１５０は、ポンプ１６４に信号線Ｌ４を介して接続され、ポンプ１６４の動作を制御する。
【００２０】
制御装置１５０は、図４に示すように、循環用送風機モータ１０３ｂを駆動する第１インバータ回路１５３ａと、排気送風機モータ１０５ｂを駆動する第２インバータ回路１５５ａと、ポンプ１６４を駆動する第３インバータ回路１５６ａと、を有する。また、制御装置１５０は、インバータ回路１５３ａ、１５５ａ、１５６ａそれぞれを駆動するインバータ駆動部１５３ｂ、１５５ｂ、１５６ｂを有する。制御装置１５０は、更に、風向板駆動モータ１１３ａ、１１３ｂ、１１３ｃ、１１３ｄを駆動するモータ駆動部１５４ａ、１５４ｂ、１５４ｃ、１５４ｄを有する。また、制御装置１５０は、インバータ駆動部１５３ｂ、１５５ｂ、１５６ｂおよびモータ駆動部１５４ａ、１５４ｂ、１５４ｃ、１５４ｄを制御する制御部１５１と、各種情報を記憶する記憶部１５２と、制御部１５１から入力される制御情報に基づいて制御信号を生成する信号生成部１５７と、を有する。
【００２１】
インバータ回路１５３ａ、１５５ａ、１５６ａは、例えばＩＧＢＴ（Ｉｎｓｕｌａｔｅｄ  Ｇａｔｅ  Ｂｉｐｏｌａｒ  Ｔｒａｎｓｉｓｔｏｒ）等のスイッチング素子を複数用いた回路から構成され三相交流電力を出力する。
【００２２】
インバータ駆動部１５３ｂ、１５５ｂ、１５６ｂは、信号生成部１５７から供給される制御信号に基づいて、インバータ回路１５３ａ、１５５ａ、１５６ａの交流出力を制御する。インバータ駆動部１５３ｂ、１５５ｂ、１５６ｂは、例えばＰＷＭ（Ｐｕｌｓｅ  Ｗｉｄｔｈ  Ｍｏｄｕｌａｔｉｏｎ）制御に基づいてインバータ回路１５３ａ、１５５ａ、１５６ａを駆動する。この場合、制御信号は、ＰＷＭ信号から構成される。
【００２３】
モータ駆動部１５４ａ、１５４ｂ、１５４ｃ、１５４ｄは、例えばステッピングモータドライバを含んで構成される。モータ駆動部１５４ａ、１５４ｂ、１５４ｃ、１５４ｄは、それぞれ信号生成部１５７から供給される制御信号に基づいて、風向板駆動モータ１１３ａ、１１３ｂ、１１３ｃ、１１３ｄを動作させる。モータ駆動部１５４ａ、１５４ｂ、１５４ｃ、１５４ｄは、それぞれ風向板１１０ａ、１１０ｂ、１１０ｃ、１１０ｄの傾きを独立して変更させる。モータ駆動部１５４ａ、１５４ｂ、１５４ｃ、１５４ｄは、風向板１１０ａ、１１０ｂ、１１０ｃ、１１０ｄを、吹き出し口１１１ａ、１１１ｂ、１１１ｃ、１１１ｄを閉じる姿勢とすることもできる。これにより、吹き出し口１１１ａ、１１１ｂ、１１１ｃ、１１１ｄから出る気流が遮断される。
【００２４】
制御部１５１は、例えばＣＰＵ（Ｃｅｎｔｒａｌ  Ｐｒｏｃｅｓｓｉｎｇ  Ｕｎｉｔ）を含んで構成されている。制御部１５１は、例えば浴室乾燥処理を実行する。浴室乾燥処理の詳細については後述する。また、制御部１５１は、時間を計時するタイマ１５１ａを備えている。
【００２５】
記憶部１５２は、例えば不揮発性メモリ等から構成される。記憶部１５２は、浴室乾燥処理における第１インバータ駆動部１５３ｂやモータ駆動部１５４ａ、１５４ｂ、１５４ｃ、１５４ｄ等の設定情報が登録された設定情報テーブルＴＡを記憶している。設定情報テーブルＴＡでは、例えば図５に示すように、運転モード識別情報と、吹き出し口識別情報と、実施時間、風向板角度、ファン回転数、温水流量が対応づけられている。ここで、運転モード識別情報は、浴室乾燥装置１００の運転モードを識別する情報である。運転モード識別情報は、天井乾燥を示す「ＩＤＡ」、側壁乾燥を示す「ＩＤＢ」、床面乾燥を示す「ＩＤＣ」、カビ抑制運転を示す「ＩＤＤ」から構成される。吹き出し口識別情報は、気流を出す吹き出し口を識別する情報である。吹き出し口識別情報は、吹き出し口１１１ａを示す「ＩＤ１」、吹き出し口１１１ｂを示す「ＩＤ２」、吹き出し口１１１ｃを示す「ＩＤ３」、吹き出し口１１１ｄを示す「ＩＤ４」、吹き出し口１１１ａ、１１１ｂ、１１１ｃ、１１１ｄの全てを示す「ＩＤ０」から構成される。実施時間は、気流を出し続けることにより乾燥を実施する時間を示す。また、ファン回転数は、循環用送風機１０３のファン１０３ａの回転数を示す。温水流量は、熱交換器１０２へ供給する温水の流量を示す。
図５に示すように、カビ抑制運転を示す「ＩＤＤ」に対応する温水流量Ｑ２は、天井乾燥乾燥を示す「ＩＤＡ」に対応する温水流量Ｑ１に比べて多い。温水流量が多いほど、気流の温度が高くなる。従って、カビ抑制処理時では、天井乾燥処理時に比べて高温の気流が浴室１内に流れる。
【００２６】
風向板角度は、図６に示すように、鉛直方向に直交する水平面ＨＬと風向板（例えば風向板１１０ｃ）とのなす角度に相当する。風向板角度θ１は、吹き出し口１１１ｃから出る気流Ｄ２１を天井ＣＥへ流す場合の角度であり、４５°未満の角度に設定される。この場合、吹き出し口１１１ｃから出る気流の一部は、天井ＣＥに沿って流れる。風向板角度θ２は、吹き出し口１１１ｃから出る気流Ｄ２２を側壁ＷＡへ流す場合の角度である。風向板角度θ３は、吹き出し口１１１ｃから出る気流Ｄ２３を床面ＦＬへ流す場合の角度である。
【００２７】
図４に示すように、記憶部１５２は、制御部１５１が現に実行対象としている運転モードを示す対象運転モード識別情報ＤＡ１と、制御部１５１が現に気流を出す対象としている吹き出し口を識別する対象吹き出し口識別情報ＤＡ２と、を記憶している。対象運転モード識別情報ＤＡ１の初期値は、天井乾燥を示す「ＩＤＡ」に設定され、対象吹き出し口識別情報ＤＡ２の初期値は、吹き出し口１１１ａを示す「ＩＤ１」に設定されている。また、記憶部１５２は、浴室乾燥装置１００の動作を制御するためのプログラム等も記憶している。記憶部１５２は、例えば浴室乾燥処理を実行するためのプログラムを格納している。
【００２８】
信号生成部１５７は、制御部１５１から入力される制御情報に基づいて生成した各種制御信号を、インバータ駆動部１５３ｂ、１５５ｂ、１５６ｂおよびモータ駆動部１５４ａ、１５４ｂ、１５４ｃ、１５４ｄそれぞれに個別に供給する。信号生成部１５７は、インバータ回路１５３ａ、１５５ａ、１５６ａの駆動指令を含む制御情報が制御部１５１から入力されると、インバータ駆動部１５３ｂ、１５５ｂ、１５６ｂへの制御信号の供給を開始する。一方、信号生成部１５７は、インバータ回路１５３ａ、１５５ａ、１５６ａの停止指令を含む制御情報が制御部１５１から入力されると、インバータ駆動部１５３ｂ、１５５ｂ、１５６ｂへの制御信号の供給を停止する。また、信号生成部１５７は、風向板角度を示す制御情報が入力されると、モータ駆動部１５４ａ、１５４ｂ、１５４ｃ、１５４ｄへ、風向板角度に基づいて制御信号を供給する。
【００２９】
次に、本実施の形態に係る浴室乾燥装置１００が浴室１を乾燥させるために実行する浴室乾燥処理について、図７から図１２を参照しながら説明する。図７に示す浴室乾燥処理は、例えば、ユーザが浴室乾燥装置１００の電源を投入したことを契機として開始される。また、制御部１５１は、浴室乾燥処理の開始直後に、信号生成部１５７へ、第３インバータ回路１５６ａの駆動指令を含む制御情報を出力することにより、排気送風機モータ１０５ｂを動作させるものとする。これにより、浴室１内の空気が、排気送風機１０５によって一定量ずつ排気される。
【００３０】
まず、浴室乾燥装置１００は、天井乾燥処理（第１処理）を行う（ステップＳ１０１）。これにより、高速気流が、浴室乾燥装置１００の４つの吹き出し口１１１ａ、１１１ｂ、１１１ｃ、１１１ｄのいずれか１つから天井ＣＥへ流れる。例えば図６に示すように、天井乾燥処理では、天井ＣＥに高速気流を流すことにより、天井ＣＥに付着した水滴ＷＤを吹き飛ばす。なお、高速気流によって水滴ＷＤが吹き飛ばされるか否かは、水滴ＷＤの大きさと高速気流の速度とによって決まる。高速気流の速度は、一般的な浴室１の使用方法で使用した場合に天井ＣＥに付着しうる水滴ＷＤの大きさの経験則に基づいて、例えば１０ｍ／ｓに設定される。なお、天井乾燥処理の詳細は後述する。
【００３１】
次に、浴室乾燥装置１００は、側壁・床面乾燥処理（第２処理）を行う（ステップＳ１０２）。これにより、天井乾燥処理時に比べて温かい気流が、浴室乾燥装置１００の吹き出し口１１１ａ、１１１ｂ、１１１ｃ、１１１ｄの全てから側壁ＷＡまたは床面ＦＬへ流れる。なお、側壁・床面乾燥処理の詳細は後述する。
【００３２】
その後、浴室乾燥装置１００は、カビ抑制処理を行う（ステップＳ１０３）。これにより、側壁・床面乾燥処理時に比べて高温の気流が、浴室乾燥装置１００の吹き出し口１１１ａ、１１１ｂ、１１１ｃ、１１１ｄの全てから浴室１内へ流れる。この高温の気流により、浴室１内が湿度の低い状態で維持される。浴室１内を湿度の低い状態で一定の時間維持することにより浴室１内のカビ菌糸に低湿度ショックを与えると、カビ菌糸自体に含まれる水分が奪われ、カビ菌糸が乾燥していわゆるミイラ状態となる。そして、カビ菌糸の少なくとも一部を死滅させることができるので、カビ菌糸の成長が抑制される。なお、カビ抑制処理の詳細は後述する。
【００３３】
次に、図７における天井乾燥処理（ステップＳ１０１）の内容について、図８を参照しながら詳細に説明する。
【００３４】
まず、浴室乾燥装置１００は、高速気流を出す吹き出し口を特定する（ステップＳ２０１）。具体的には、制御部１５１が、記憶部１５２に記憶されている対象吹き出し口識別情報ＤＡ２の内容に基づいて、図１（ａ）に示す４つの吹き出し口１１１ａ、１１１ｂ、１１１ｃ、１１１ｄの中から高速気流の吹き出しを行う吹き出し口を特定する。例えば対象吹き出し口識別情報ＤＡ２の初期値が吹き出し口１１１ａを示す「ＩＤ１」に設定されている場合、制御部１５１は、最初に吹き出し口１１１ａを特定する。
【００３５】
次に、浴室乾燥装置１００は、高速気流の送出を実施する期間を示す実施時間、風向板角度、ファン回転数、温水流量を取得する（ステップＳ２０２）。具体的には、制御部１５１が、記憶部１５２に記憶されている対象運転モード識別情報ＤＡ１および対象吹き出し口識別情報ＤＡ２それぞれの内容に基づいて、設定情報テーブルＴＡを参照することにより、各情報を取得する。対象運転モード識別情報ＤＡ１および対象吹き出し口識別情報ＤＡ２の内容が、それぞれ天井乾燥を示す「ＩＤＡ」、吹き出し口１１１ａを示す「ＩＤ１」に設定されているとする。この場合、制御部１５１は、図５に示す設定情報テーブルＴＡを参照して、実施時間Ｔ１１、風向板角度θ１、ファン回転数Ｒ１、温水流量Ｑ１０を取得する。
【００３６】
図８に戻って、浴室乾燥装置１００は、ステップＳ２０２の実行後、特定した吹き出し口の風向板を開状態とし、他の吹き出し口の風向板を閉状態とする（ステップＳ２０３）。具体的には、制御部１５１が、取得した風向板角度を含む制御情報と、特定した吹き出し口の吹き出し口識別情報と、を信号生成部１５７へ送信する。信号生成部１５７は、制御情報および吹き出し口識別情報が入力されると、吹き出し口識別情報に対応するモータ駆動部へ、風向板角度に基づいて制御信号を供給する。また、信号生成部１５７は、吹き出し口識別情報に対応しない他のモータ駆動部へ、風向板により吹き出し口が閉じられるように制御信号を供給する。
【００３７】
例えば、浴室乾燥装置１００が、吹き出し口１１１ａを特定したとする。この場合、制御部１５１が、信号生成部１５７へ、風向板角度θ１を含む制御情報と、吹き出し口識別情報ＩＤ１と、を送信する。一方、信号生成部１５７は、風向板１１０ａに対応するモータ駆動部１５４ａへ、取得した風向板角度θ１に基づいて制御信号を供給する。また、信号生成部１５７は、他のモータ駆動部１５４ｂ、１５４ｃ、１５４ｄへ、風向板１１０ｂ、１１０ｃ、１１０ｄにより吹き出し口１１１ｂ、１１１ｃ、１１１ｄが閉じられるように制御信号を供給する。一方、モータ駆動部１５４ａは、制御信号により風向板駆動モータ１１３ａを動作させて、風向板１１０ａの水平方向に対する角度が角度θ１となるように風向板１１０ａを回転させる。また、他のモータ駆動部１５４ｂ、１５４ｃ、１５４ｄは、制御信号により風向板駆動モータ１１３ｂ、１１３ｃ、１１３ｄを動作させて、風向板１１０ｂ、１１０ｃ、１１０ｄが吹き出し口１１１ｂ、１１１ｃ、１１１ｄを閉じた状態（閉状態）にする。この場合、図９（ａ）に示すように、筐体１０１内の領域Ｓ２へ流れ出た気流が、全て吹き出し口１１１ａに集中する（図９（ａ）の二点鎖線矢印参照）。これにより、例えば吹き出し口１１１ａ、１１１ｂ、１１１ｃ、１１１ｄの全てが開状態である場合に比べて、筐体１０１内の領域Ｓ２から筐体１０１外部への気流の出口面積が小さくなるので、吹き出し口１１１ａから出る気流の速度が上昇する。これにより、図６に示すように、吹き出し口（例えば１１１ｃ）から出る高速気流が天井ＣＥに沿って流れる。
【００３８】
図８に戻って、ステップＳ２０３の実行後、浴室乾燥装置１００は、循環用送風機モータ１０３ｂを始動させる（ステップＳ２０４）。具体的には、制御部１５１が、第１インバータ回路１５３ａの駆動指令および取得したファン回転数Ｒ１を含む制御情報を、信号生成部１５７へ出力する。そして、信号生成部１５７は、第１インバータ駆動部１５３ｂへの制御信号の供給を開始する。第１インバータ駆動部１５３ｂは、制御信号により第１インバータ回路１５３ａを駆動して、循環用送風機モータ１０３ｂをファン回転数Ｒ１と同じ回転数で動作させる。
【００３９】
続いて、浴室乾燥装置１００は、熱交換器１０２への温水供給を開始する（ステップＳ２０５）。具体的には、制御部１５１は、第３インバータ回路１５６ａの駆動指令および取得した温水流量Ｑ１を含む制御情報を、信号生成部１５７へ送信する。そして、信号生成部１５７は、第３インバータ駆動部１５６ｂへの制御信号の供給を開始する。ここで、信号生成部１５７は、ポンプ１６４のインペラの回転数と温水供給管ＴＵ１を流れる温水の流量との相関関係を示す相関情報を予め保持している。そして、信号生成部１５７は、予め保持している相関情報と受信した温水流量とに基づいて、温水流量が流量Ｑ１となるように制御信号を生成する。第３インバータ駆動部１５６ｂは、制御信号により第３インバータ回路１５６ａを駆動して、ポンプ１６４を温水流量Ｑ１に対応した回転数で動作させる。これにより、温水供給管ＴＵ１を流れる温水の流量が流量Ｑ１となる。
【００４０】
その後、浴室乾燥装置１００は、タイマ１５１ａをオンする（ステップＳ２０６）。
【００４１】
次に、浴室乾燥装置１００は、実施時間を経過したか否かを判定する（ステップＳ２０７）。具体的には、制御部１５１が、取得した実施時間とタイマ１５１ａのカウント値とに基づいて、実施時間を経過したか否かを判定する。浴室乾燥装置１００は、実施時間が経過しない限り（ステップＳ２０７：Ｎｏ）、待機状態を維持する。この間、１つの吹き出し口から天井ＣＥへ高速気流が流れ続ける。
【００４２】
図１０に示すように、浴室１内において、吹き出し口１１１ａ、１１１ｂ、１１１ｃ、１１１ｄからの気流（図１０中の実線矢印参照）が送られるエリアを、それぞれエリアＡＲ１、エリアＡＲ２、エリアＡＲ３、エリアＡＲ４としたとする。この場合、エリアＡＲ１が最も広く、エリアＡＲ４、エリアＡＲ２、エリアＡＲ３の順番に狭くなっている。一方、図５に示す設定情報テーブルＴＡでは、吹き出し口識別情報ＩＤ１、ＩＤ２、ＩＤ３、ＩＤ４に対応して実施時間Ｔ１１、Ｔ１２、Ｔ１３、Ｔ１４が設定されている。そして、吹き出し口１１１ａ、１１１ｂ、１１１ｃ、１１１ｄに対応するエリアＡＲ１、エリアＡＲ２、エリアＡＲ３、エリアＡＲ４の広さに対応して、実施時間Ｔ１１が最も長く、実施時間Ｔ１４、実施時間Ｔ１２、実施時間Ｔ１３の順番に短くなっている。
【００４３】
図８に戻って、ステップＳ２０７において、実施時間が経過したと判定されると（ステップＳ２０７：Ｙｅｓ）、浴室乾燥装置１００は、熱交換器１０２への温水供給を停止する（ステップＳ２０８）。具体的には、制御部１５１は、第３インバータ回路１５６ａの停止指令を含む制御情報を、信号生成部１５７へ送信する。そして、信号生成部１５７は、第３インバータ駆動部１５６ｂへの制御信号の供給を停止する。これにより、第３インバータ回路１５６ａが停止することによりポンプ１６４が停止し、熱交換器１０２への温水供給が停止する。
【００４４】
次に、浴室乾燥装置１００は、タイマ１５１ａをオフする（ステップＳ２０９）。このとき、制御部１５１が、タイマ１５１ａのカウント値を初期値にリセットする。
【００４５】
その後、浴室乾燥装置１００は、全ての吹き出し口について高速気流の送出を実施したか否かを判定する（ステップＳ２１０）。具体的には、制御部１５１が、吹き出し口識別情報「ＩＤ１」、「ＩＤ２」、「ＩＤ３」、「ＩＤ４」それぞれに対応づけられ、初期値が「ＯＦＦ」であり高速気流の送出を実施した場合に「ＯＮ」に変更される実施確認フラグを保有している。制御部１５１は、１つの吹き出し口について高速気流の送出を実施する毎に、実施した吹き出し口に対応する実施確認フラグを「ＯＮ」に変更していく。そして、制御部１５１は、実施確認フラグの全てが「ＯＮ」に設定されている場合、全ての吹き出し口について高速気流の送出を実施したと判定する。
【００４６】
ステップＳ２１０において、高速気流の送出を実施していない吹き出し口が残っていると判定されると（ステップＳ２１０：Ｎｏ）、浴室乾燥装置１００は、再びステップＳ２０１の処理を行う。浴室乾燥装置１００は、例えば吹き出し口１１１ａからの高速気流の送出を実施した場合、次に吹き出し口１１１ｂ、１１１ｃ、１１１ｄの中から１つを特定する。このステップＳ２０８において、高速気流の送出を実施していない吹き出し口が残っていると判定される限り、浴室乾燥装置１００は、ステップＳ２０１からＳ２０６までの処理を繰り返す。これにより、例えば図９（ａ）から（ｄ）に示すように、高速気流の送出を実施する吹き出し口が、吹き出し口１１１ａ→吹き出し口１１１ｂ→吹き出し口１１１ｃ→吹き出し１１１ｄと変化していく（図９（ａ）から（ｄ）中の二点鎖線矢印参照）。
【００４７】
一方、ステップＳ２０８において、全ての吹き出し口について高速気流の送出を実施したと判定されると（ステップＳ２１０：Ｙｅｓ）、浴室乾燥装置１００は、浴室乾燥処理に戻る。このとき、制御部１５１が、記憶部１５２に記憶されている対象運転モード識別情報ＤＡ１の内容を、天井乾燥を示す「ＩＤＡ」から側壁乾燥を示す「ＩＤＢ」へ変更する。また、制御部１５１は、対象吹き出し口識別情報ＤＡ２の内容を、風向板１１０ａ、１１０ｂ、１１０ｃ、１１０ｄの全てを示す「ＩＤ０」に変更する。また、制御部１５１は、吹き出し口識別情報「ＩＤ１」、「ＩＤ２」、「ＩＤ３」、「ＩＤ４」それぞれに対応づけられた実施確認フラグを全て初期値「ＯＦＦ」に設定する。
【００４８】
次に、図７における側壁・床面乾燥処理（ステップＳ１０２）の内容について、図１１を参照しながら詳細に説明する。この側壁・床面乾燥処理では、側壁乾燥を行った後に、床面乾燥を行う。
【００４９】
まず、浴室乾燥装置１００は、側壁乾燥を実施する実施時間、風向板角度、ファン回転数および熱交換器１０２へ供給する温水の流量を示す温水流量を取得する（ステップＳ３０１）。具体的には、制御部１５１が、設定情報テーブルＴＡを参照して、側壁乾燥を実施する実施時間、風向板角度、ファン回転数および熱交換器１０２へ供給する温水の流量を示す温水流量を取得する。このとき、対象運転モード識別情報ＤＡ１は、側壁乾燥を示す「ＩＤＢ」または床面乾燥を示す「ＩＤＣ」に設定され、対象吹き出し口識別情報ＤＡ２は、吹き出し口１１１ａ、１１１ｂ、１１１ｃ、１１１ｄの全てを示す「ＩＤ０」に設定されている。従って、図５に示す設定情報テーブルＴＡの場合、制御部１５１は、設定情報テーブルＴＡを参照して、実施時間Ｔ２１またはＴ２２、風向板角度θ２またはθ３、ファン回転数Ｒ２またはＲ３、温水流量を取得する。ここで、温水流量が「０」に設定されていることから、制御部１５１は、天井乾燥処理において、ポンプ１６４を停止状態で維持する。
【００５０】
次に、浴室乾燥装置１００は、風向板角度を調節する（ステップＳ３０２）。具体的には、制御部１５１が、取得した風向板角度θ２またはθ３を含む制御情報と、吹き出し口識別情報ＩＤ０と、を信号生成部１５７へ送信する。信号生成部１５７は、風向板角度θ２を含む制御情報および吹き出し口識別情報ＩＤ０が入力されると、全てのモータ駆動部１５４ａ、１５４ｂ、１５４ｃ、１５４ｄへ、風向板角度に基づいて制御信号を供給する。一方、モータ駆動部１５４ａ、１５４ｂ、１５４ｃ、１５４ｄは、それぞれ制御信号により風向板駆動モータ１１３ａ、１１３ｂ、１１３ｃ、１１３ｄを動作させる。これにより、風向板１１０ａ、１１０ｂ、１１０ｃ、１１０ｄの水平方向に対する角度が角度θ２または角度θ３となる。
【００５１】
続いて、浴室乾燥装置１００は、循環用送風機モータ１０３ｂの回転数を調節する（ステップＳ３０３）。具体的には、制御部１５１が、取得したファン回転数Ｒ２またはＲ３を含む制御情報を、信号生成部１５７へ送信する。そして、信号生成部１５７は、第１インバータ駆動部１５３ｂへ供給する制御信号を、ファン回転数Ｒ２またはＲ３に対応する制御信号に変更する。第１インバータ駆動部１５３ｂは、変更された制御信号により第１インバータ回路１５３ａを駆動して、循環用送風機モータ１０３ｂをファン回転数Ｒ２またはＲ３と同じ回転数で動作させる。これにより、図６に示すように、吹き出し口（例えば１１１ｃ）から出る気流が側壁ＷＡまたは床面ＦＬに向かって流れる（図６中の矢印Ｄ２２またはＤ２３参照）。
【００５２】
次に、浴室乾燥装置１００は、タイマ１５１ａをオンする（ステップＳ３０４）。
続いて、浴室乾燥装置１００は、実施時間Ｔ２１が経過したか否かを判定する（ステップＳ３０５）。具体的には、制御部１５１が、取得した実施時間Ｔ２１とタイマ１５１ａのカウント値とに基づいて、実施時間Ｔ２１が経過したか否かを判定する。浴室乾燥装置１００は、実施時間Ｔ２１が経過しない限り（ステップＳ３０５：Ｎｏ）、待機状態を維持する。この間、全ての吹き出し口１１１ａ、１１１ｂ、１１１ｃ、１１１ｄから天井ＣＥへ温かい気流が流れ続ける。
【００５３】
ステップＳ３０５において、実施時間Ｔ２１が経過したと判定されると（ステップＳ３０５：Ｙｅｓ）、浴室乾燥装置１００は、タイマ１５１ａをオフする（ステップＳ３０６）。
【００５４】
次に、浴室乾燥装置１００は、床面乾燥を実施したか否かを判定する（ステップＳ３０７）。具体的には、制御部１５１が、運転モード識別情報それぞれに対応づけられ、初期値が「ＯＦＦ」であり各運転モードでの運転を実施した場合に「ＯＮ」に変更される運転実施確認フラグを保有している。制御部１５１は、各運転モードでの運転が実施される毎に、実施した運転モードに対応する運転実施確認フラグを「ＯＮ」に変更していく。そして、制御部１５１は、床面乾燥を示す運転モード識別情報ＩＤＣに対応づけられた運転実施確認フラグが「ＯＮ」に設定されている場合、床面乾燥を実施したと判定する。
【００５５】
ステップＳ３０７において、床面乾燥を実施していないと判定されると（ステップＳ３０７：Ｎｏ）、浴室乾燥装置１００は、乾燥対象を床面に設定する（ステップＳ３０８）。具体的には、制御部１５１は、対象運転モード識別情報ＤＡ１を、側壁乾燥を示す「ＩＤＢ」から床面乾燥を示す「ＩＤＣ」に変更する。
【００５６】
続いて、浴室乾燥装置１００は、再びステップＳ３０１の処理を行う。ここでは、対象運転モード識別情報ＤＡ１および対象吹き出し口識別情報ＤＡ２の内容は、それぞれ床面乾燥を示す「ＩＤＣ」、風向板１１０ａ、１１０ｂ、１１０ｃ、１１０ｄの全てを示す「ＩＤ０」に設定されている。従って、図５に示す設定情報テーブルＴＡの場合、浴室乾燥装置１００は、実施時間Ｔ２１、風向板角度θ３、ファン回転数Ｒ３、温水流量「０」を取得する。その後、浴室乾燥装置１００は、ステップＳ３０２以降の処理を行う。
【００５７】
一方、ステップＳ３０７において、床面乾燥処理を実施したと判定されると（ステップＳ３０７：Ｙｅｓ）、浴室乾燥装置１００は、浴室乾燥処理に戻る。このとき、制御部１５１は、対象運転モード識別情報ＤＡ１を、床面乾燥を示す「ＩＤＣ」からカビ抑制を示す「ＩＤＤ」に変更する。
【００５８】
次に、図８におけるカビ抑制処理（ステップＳ１０３）の内容について、図１２を参照しながら詳細に説明する。カビ抑制処理では、浴室１内の湿度を低下させて浴室１内に発生したカビ菌糸を乾燥させることにより、カビ菌糸にいわゆる低湿度ショックを与えてカビ菌糸の成長を抑制する。
【００５９】
まず、浴室乾燥装置１００は、カビ抑制を実施する実施時間、風向板角度、ファン回転数および熱交換器１０２に供給する温水の流量を示す温水流量を取得する（ステップＳ４０１）。具体的には、制御部１５１が、設定情報テーブルＴＡを参照して、カビ抑制を実施する実施時間、風向板角度、ファン回転数および熱交換器１０２に供給する温水の流量を示す温水流量を取得する。ここでは、対象運転モード識別情報ＤＡ１および対象吹き出し口識別情報ＤＡ２の内容は、それぞれカビ抑制を示す「ＩＤＤ」、風向板１１０ａ、１１０ｂ、１１０ｃ、１１０ｄの全てを示す「ＩＤ０」に設定されている。従って、図５に示す設定情報テーブルＴＡの場合、制御部１５１は、設定情報テーブルＴＡを参照して、実施時間Ｔ３１、風向板角度θ１、ファン回転数Ｒ１、流量Ｑ２を取得する。
【００６０】
次に、浴室乾燥装置１００は、風向板角度を調節する（ステップＳ４０２）。具体的には、制御部１５１は、取得した風向板角度θ１を含む制御情報と、吹き出し口識別情報ＩＤ０と、を信号生成部１５７へ送信する。信号生成部１５７は、風向板角度θ１を含む制御情報および吹き出し口識別情報ＩＤ０が入力されると、全てのモータ駆動部１５４ａ、１５４ｂ、１５４ｃ、１５４ｄへ、風向板角度θ１に基づいて制御信号を供給する。一方、モータ駆動部１５４ａ、１５４ｂ、１５４ｃ、１５４ｄは、それぞれ制御信号により風向板駆動モータ１１３ａ、１１３ｂ、１１３ｃ、１１３ｄを動作させる。これにより、風向板１１０ａ、１１０ｂ、１１０ｃ、１１０ｄの水平方向に対する角度が角度θ１となる。
【００６１】
続いて、浴室乾燥装置１００は、循環用送風機モータ１０３ｂの回転数を調節する（ステップＳ４０３）。具体的には、制御部１５１が、取得したファン回転数Ｒ１を含む制御情報を、信号生成部１５７へ送信する。そして、信号生成部１５７は、第１インバータ駆動部１５３ｂへ供給する制御信号を、ファン回転数Ｒ１に対応する制御信号に変更する。第１インバータ駆動部１５３ｂは、変更された制御信号により第１インバータ回路１５３ａを駆動して、循環用送風機モータ１０３ｂをファン回転数Ｒ１と同じ回転数で動作させる。
【００６２】
その後、浴室乾燥装置１００は、熱交換器１０２への温水供給を開始する（ステップＳ４０４）。具体的には、制御部１５１は、第３インバータ回路１５６ａの駆動指令および取得した温水流量Ｑ１を含む制御情報を、信号生成部１５７へ送信する。そして、信号生成部１５７は、第３インバータ駆動部１５６ｂへの制御信号の供給を開始する。信号生成部１５７は、予め保持している相関情報と受信した温水流量Ｑ２とに基づいて、温水流量が流量Ｑ２となるように制御信号を生成する。第３インバータ駆動部１５６ｂは、制御信号により第３インバータ回路１５６ａを駆動して、ポンプ１６４を温水流量Ｑ２に対応した回転数で動作させる。これにより、温水供給管ＴＵ１を流れる温水の流量が流量Ｑ２となる。
温水流量Ｑ２は、側壁・床面乾燥処理時における温水流量Ｑ１に比べて大きく設定されている。これにより、筐体１０１内で領域Ｓ１から熱交換器１０２を通って領域Ｓ２から浴室１内へ送出される気流の温度が、側壁・床面乾燥処理時に比べて上昇し、側壁・床面乾燥処理時に比べて浴室１内の湿度が低下する。
【００６３】
次に、浴室乾燥装置１００は、タイマ１５１ａをオンする（ステップＳ４０５）。
【００６４】
続いて、浴室乾燥装置１００は、実施時間Ｔ３１が経過したか否かを判定する（ステップＳ４０６）。具体的には、制御部１５１が、取得した実施時間Ｔ３１とタイマ１５１ａのカウント値とに基づいて、実施時間Ｔ３１が経過したか否かを判定する。浴室乾燥装置１００は、実施時間Ｔ３１が経過しない限り（ステップＳ４０６：Ｎｏ）、待機状態を維持する。この間、全ての吹き出し口１１１ａ、１１１ｂ、１１１ｃ、１１１ｄから浴室１内へ高温の気流が流れ続ける。
【００６５】
ところで、１日を１サイクルとして１日のうちの数時間だけ浴室１内の湿度が低い状態を維持することを繰り返すとカビ菌糸の発生を抑制できることが知られている。例えば１日のうち２時間だけ浴室１内の湿度を４０％以下で維持したり、１日のうち４時間だけ浴室１内の湿度を５０％以下で維持したりすれば、カビ菌糸の発生を抑制できる（特許第４０４２０１８号公報参照）。このように、カビ菌糸に対して１日数時間浴室１内を湿度の低い状態で維持する低湿度ショックを与えると、カビ菌糸自体に含まれる水分が奪われ、カビ菌糸が乾燥していわゆるミイラ状態となり死滅する。このことから、カビ抑制処理での実施時間Ｔ３１は、例えば浴室１内の湿度を４０％以下で維持する場合は２時間以上、浴室１内の湿度を５０％以下で維持する場合は４時間以上に設定される。
【００６６】
ステップＳ４０６において、実施時間Ｔ３１が経過したと判定されると（ステップＳ４０６：Ｙｅｓ）、浴室乾燥装置１００は、熱交換器１０２への温水供給を停止する（ステップＳ４０７）。具体的には、制御部１５１は、第３インバータ回路１５６ａの停止指令を含む制御情報を、信号生成部１５７へ送信する。そして、信号生成部１５７が第３インバータ駆動部１５６ｂへの制御信号の供給を停止することにより、熱交換器１０２への温水供給が停止する。
【００６７】
その後、浴室乾燥装置１００は、循環用送風機モータ１０３ｂを停止させる（ステップＳ４０８）。具体的には、制御部１５１は、第１インバータ回路１５３ａの停止指令を含む制御情報を、信号生成部１５７へ出力する。そして、信号生成部１５７は、第１インバータ駆動部１５３ｂへの制御信号の供給を停止することにより、第１インバータ回路１５３ａを停止させる。これにより、循環用送風機モータ１０３ｂが停止する。
【００６８】
その後、浴室乾燥装置１００は、タイマ１５１ａをオフしてから（ステップＳ４０９）、浴室乾燥処理に戻る。このとき、制御部１５１は、タイマ１５１ａのカウント値を初期値にリセットする。
【００６９】
以上のように、本実施の形態に係る浴室乾燥装置１００は、天井乾燥処理の間、気流が浴室１の天井ＣＥに沿って流れるように風向板１１０ａ、１１０ｂ、１１０ｃ、１１０ｄを制御するとともに、熱交換器１０２へ温水を供給する。これにより、天井ＣＥおよび側壁ＷＡ上部を素早く乾燥させることができ、天井ＣＥが高い湿度で放置される時間が短縮されるので、天井ＣＥにカビ菌糸が繁殖しにくくなる。従って、側壁ＷＡおよび床面ＦＬを含めた浴室１全体でのカビ菌糸の発生を効果的に抑制できる。浴室１の天井ＣＥや側壁ＷＡ上部は手入れがしにくく、カビ菌糸の温床となりやすい。これに対して、本実施の形態に係る浴室乾燥装置１００を使用すれば、居住者のカビ菌糸除去作業の負荷を生じさせることなく、防カビ効果の向上を実現できる。
【００７０】
また、浴室乾燥装置１００は、側壁・床面乾燥処理の間、気流が浴室１の側壁ＷＡまたは浴室１の下方（床面ＦＬ）に向かう方向へ流れるように風向板１１０ａ、１１０ｂ、１１０ｃ、１１０ｄを制御するとともに、熱交換器１０２への温水の供給を停止する。これにより、温水の供給に要する電力、具体的には、ポンプ１６４の駆動に要する電力を削除することができるので、浴室乾燥装置１００の消費電力を大幅に抑えることができる。
【００７１】
図１３（ａ）は、従来の比較例に係る浴室乾燥装置の消費電力の経時変化の一例である。従来の浴室乾燥装置の多くは、浴室・床面乾燥処理中も熱交換器１０２への温水供給を行う。これにより、図１３（ａ）に示すように、浴室・床面乾燥処理中（時刻ＴＩ１から時刻ＴＩ２までの間）の消費電力は、天井乾燥処理中（運転初期の時刻ＴＩ１までの間）の消費電力と略同じ電力Ｐ１で推移する。これに対して、本実施の形態に係る浴室乾燥装置１００では、図１３（ｂ）に示すように、側壁・床面乾燥処理中（時刻ＴＩ１から時刻ＴＩ２までの間）は、熱交換器１０２への温水供給を停止するため、天井乾燥処理中の消費電力Ｐ１よりも低い消費電力Ｐ２で推移する。このように、熱交換器１０２への温水供給を停止することにより、消費電力を大幅に抑えることができる。
【００７２】
従来の浴室乾燥装置の多くは、上記比較例のように、気流の温度を上昇させても乾燥時間の短縮効果が出にくい床面ＦＬへ気流を流す場合（側壁・床面乾燥処理）でも絶えず熱交換器１０２への温水供給を行っていた。これに対して、本実施の形態に係る浴室乾燥装置１００では、床面ＦＬへ気流を流す場合（側壁・床面乾燥処理）に熱交換器１０２への温水供給を停止することにより、熱交換器１０２への無駄に温水供給を行わない。これにより、本実施の形態に係る浴室乾燥装置１００では、防カビ効果の向上とともに、省エネルギ化も図ることができる。  
【００７３】
また、本実施の形態に係る浴室乾燥装置１００は、天井乾燥処理において、４つの吹き出し口１１１ａ、１１１ｂ、１１１ｃ、１１１ｄのうちの１つだけを開状態とし、他の吹き出し口を閉状態とすることにより、吹き出し口の実質的な開口面積を小さくする。これにより、開状態の吹き出し口から天井ＣＥ方向へ高速気流を流すことができるので、天井ＣＥに付着した水滴を吹き飛ばすことができる。また、天井ＣＥ近傍に高速気流を流すことにより、天井ＣＥ近傍の空気の対流が促進されるので、天井ＣＥの乾燥速度が速まり、その結果、浴室１全体の乾燥に要する時間を短縮できる。
【００７４】
図１０に示すように、浴室１において、吹き出し口１１１ａ、１１１ｂ、１１１ｃ、１１１ｄそれぞれから気流が送られるエリアを、それぞれエリアＡＲ１、エリアＡＲ２、エリアＡＲ３、エリアＡＲ４とする。ここでは、エリアＡＲ１が最も広く、エリアＡＲ４、エリアＡＲ２、エリアＡＲ３の順番に面積が狭くなっている。この場合、天井ＣＥにおけるエリアＡＲ１に対応する部分が最も乾燥しにくく、エリアＡＲ３に対応する部分、エリアＡＲ２に対応する部分、エリアＡＲ４に対応する部分の順番に最も乾燥し易くなっている。
【００７５】
これに対して、設定情報テーブルＴＡでは、吹き出し口１１１ａから高速気流の送出を実施する実施時間Ｔ１１を最も長くし、吹き出し口１１１ｄ、１１１ｂ、１１１ｃの順番に高速気流の送出を実施する実施時間Ｔ１４、Ｔ１２、Ｔ１３を短くしている。つまり、各エリアＡＲ１、ＡＲ２、ＡＲ３、ＡＲ４へ高速気流を流す実施時間Ｔ１１、Ｔ１２、Ｔ１３、Ｔ１４の時間配分を、各エリアＡＲ１、ＡＲ２、ＡＲ３、ＡＲ４の面積に応じた適切な時間に設定している。これにより、天井ＣＥにおける各エリアＡＲ１、ＡＲ２、ＡＲ３、ＡＲ４に対応する部分を確実に乾燥させることができるので、天井ＣＥでのカビ菌糸の発生を確実に抑制できる。また、天井ＣＥの各エリアＡＲ１、ＡＲ２、ＡＲ３、ＡＲ４に対応する部分へ無駄に高速気流を流すことを抑制できるので、天井乾燥を実施する時間を短縮することができ、ひいては浴室１全体を乾燥するのに要する時間を短縮できる。また、これにより循環用送風機１０３での無駄な電力消費を抑制できるという利点もある。
【００７６】
ところで、浴室１内の空気を対流させたり、浴室１内の湿度を低下させたりすることによって、天井に付着した水滴を蒸発させて除去する方法も考えられる。ところが、この方法の場合、水滴が大きくなると、その分、水滴が蒸発するのに時間を要し水滴が除去されるまでに長時間がかかる虞がある。
【００７７】
これに対して、本実施の形態に係る浴室乾燥装置１００は、天井乾燥処理において、図６に示すように、高速気流を天井ＣＥに沿って流すことにより、天井ＣＥに付着した水滴ＷＤを吹き飛ばして除去する。これにより、例えば水滴ＷＤを蒸発させて除去する方法に比べて、水滴ＷＤを除去するのに要する時間を著しく短縮することができる。特に、浴室乾燥装置１００が動作を開始した直後の、天井ＣＥに多くの水滴ＷＤが付着した状態では、これらの水滴ＷＤを効率よく除去できるので、乾燥時間を効果的に短縮することができる。
【００７８】
また、本実施の形態に係る浴室乾燥装置１００では、側壁・床面乾燥処理において、熱交換器１０２へ温水を供給することにより、気流の温度を上昇させ、吹き出し口１１１ａ、１１１ｂ、１１１ｃ、１１１ｄから吹き出される空気の湿度を低下させる。これにより、側壁ＷＡまたは床面ＦＬへ湿度の低い空気を送ることができるので、側壁ＷＡまたは床面ＦＬの乾燥促進を図ることができる。
【００７９】
（実施の形態２）
本実施の形態では、側壁・床面乾燥処理においても、気流が４つの吹き出し口１１１ａ、１１１ｂ、１１１ｃ、１１１ｄのうちのいずれか１つから側壁ＷＡまたは床面ＦＬへ供給される点が実施の形態１と相違する。また、本実施の形態では、設定情報テーブルＴＡに排気送風機モータ１０５ｂのオンオフを示す情報が登録されている点も実施の形態１と相違する。
【００８０】
本実施の形態では、図１０に示すように、吹き出し口１１１ａ、１１１ｂ、１１１ｃ、１１１ｄから送出される気流（図１０中の実線矢印参照）は、それぞれ浴室１内の領域ＡＲ１、ＡＲ２、ＡＲ３、ＡＲ４に流れる。
【００８１】
設定情報テーブルＴＡでは、例えば図１４に示すように、側壁乾燥、床面乾燥を示す運転モード識別情報「ＩＤＢ」、「ＩＤＣ」について、１つの吹き出し口を示す吹き出し口識別情報「ＩＤ１」、「ＩＤ２」、「ＩＤ３」、「ＩＤ４」が対応づけられている。また、設定情報テーブルＴＡには、排気送風機モータ１０５ｂのオンオフを示す情報が登録されている。
【００８２】
本実施の形態に係る浴室乾燥処理では、実施の形態１と略同様の天井乾燥処理およびカビ抑制処理が実行される。そして、側壁・床面乾燥処理の内容が、実施の形態１における側壁乾燥処理の内容と相違する。
次に、本実施の形態に係る側壁・床面乾燥処理の内容について、図１５を参照しながら詳細に説明する。
【００８３】
まず、浴室乾燥装置１００は、乾燥させるエリアに対応する吹き出し口を特定する（ステップＳ５０１）。具体的には、制御部１５１が、対象吹き出し口識別情報ＤＡ２の内容に基づいて、図１（ａ）に示す４つの吹き出し口１１１ａ、１１１ｂ、１１１ｃ、１１１ｄの中から気流を出す吹き出し口を特定する。ここにおいて、実施の形態１で説明したように、制御部１５１は、天井乾燥処理を終了すると、対象吹き出し口識別情報ＤＡ２の内容を、吹き出し口１１１ａを示す「ＩＤ１」に設定する。従って、制御部１５１は、最初に吹き出し口１１１ａを特定する。
【００８４】
次に、浴室乾燥装置１００は、実施時間、風向板角度、ファン回転数、温水流量、排気送風機オンオフ情報を取得する（ステップＳ５０２）。具体的には、制御部１５１が、対象運転モード識別情報ＤＡ１および対象吹き出し口識別情報ＤＡ２それぞれの内容に基づいて、設定情報テーブルＴＡを参照することにより、各情報を取得する。対象運転モード識別情報ＤＡ１および対象吹き出し口識別情報ＤＡ２の内容が、それぞれ側壁乾燥を示す「ＩＤＢ」、吹き出し口１１１ａを示す「ＩＤ１」に設定されているとする。この場合、制御部１５１は、設定情報テーブルＴＡを参照して、実施時間Ｔ１１、風向板角度θ１、ファン回転数Ｒ２１、流量Ｑ１１、排気送風機オフを示す情報を取得する（図１４参照）。
【００８５】
続いて、浴室乾燥装置１００は、排気送風機１０５のオンオフ設定を行う（ステップＳ５０３）。具体的には、制御部１５１は、第２インバータ回路１５５ａの駆動指令または停止指令を含む制御情報を、信号生成部１５７へ出力する。信号生成部１５７は、駆動指令を含む制御信号を受信すると、第２インバータ駆動部１５５ｂへの制御信号の供給を開始する。そして、第２インバータ駆動部１５５ｂは、制御信号により排気送風機モータ１０５ｂが予め定められた一定の回転数で回転するように、第２インバータ回路１５５ａを駆動する。一方、信号生成部１５７は、停止指令を含む制御信号を受信すると、第２インバータ駆動部１５５ｂへの制御信号の供給を停止する。この場合、第２インバータ駆動部１５５ｂは、第２インバータ回路１５５ａを停止して排気送風機モータ１０５ｂを停止させる。
制御部１５１は、対象吹き出し口識別情報ＤＡ２が「ＩＤ１」に設定されていると、信号生成部１５７へ停止指令を含む制御情報を出力する。一方、制御部１５１は、対象吹き出し口識別情報ＤＡ２が「ＩＤ２」、「ＩＤ３」、「ＩＤ４」に設定されていると、駆動指令を含む制御情報を出力する。このようにして、制御部１５１は、図１０に示すように、吹き出し口１１１ａからエリアＡＲ１へ気流を流す場合、排気送風機モータ１０５ｂを停止させる。一方、制御部１５１は、吹き出し口１１１ｂ、１１１ｃ、１１１ｄからエリアＡＲ２、ＡＲ３、ＡＲ４へ気流を流す場合、排気送風機モータ１０５ｂを動作させる。
【００８６】
その後、浴室乾燥装置１００は、特定した吹き出し口を開状態とし、他の吹き出し口を閉状態とする（ステップＳ５０４）。具体的には、制御部１５１が、取得した風向板角度を含む制御情報と、特定した吹き出し口の吹き出し口識別情報と、を信号生成部１５７へ送信する。信号生成部１５７は、制御情報および吹き出し口識別情報が入力されると、吹き出し口識別情報に対応するモータ駆動部へ、風向板角度に基づいて制御信号を供給する。また、信号生成部１５７は、吹き出し口識別情報に対応しない他のモータ駆動部へ、風向板により吹き出し口が閉じられるように制御信号を供給する。例えば図１０に示す浴室１の場合、床面ＦＬのうち、洗い場４が設けられたエリアＡＲ１に対応する部分へ気流を流す場合、吹き出し口１１１ａのみ開状態とし他の吹き出し口１１１ｂ、１１１ｃ、１１１ｄを閉状態とする。これにより、吹き出し口１１１ａから洗い場４へ高速気流が流れる。
【００８７】
次に、浴室乾燥装置１００は、ステップＳ３０３からステップＳ３０６までの処理を行った後、浴室１内の全てのエリアＡＲ１、ＡＲ２、ＡＲ３、ＡＲ４について乾燥を実施したか否かを判定する（ステップＳ５０５）。具体的には、制御部１５１が、吹き出し口識別情報「ＩＤ１」、「ＩＤ２」、「ＩＤ３」、「ＩＤ４」それぞれに対応づけられ、初期値が「ＯＦＦ」であり高速気流の送出を実施した場合に「ＯＮ」に変更される実施確認フラグを保有している。そして、制御部１５１は、１つのエリアについて乾燥を実施する毎に、実施した吹き出し口に対応する実施確認フラグを「ＯＮ」に変更していく。そして、制御部１５１は、実施確認フラグの全てが「ＯＮ」に設定されている場合、浴室１内の全てのエリアＡＲ１、ＡＲ２、ＡＲ３、ＡＲ４について乾燥を実施したと判定する。
【００８８】
ステップＳ５０５において、乾燥を実施していないエリアが残っていると判定されると（ステップＳ５０５：Ｎｏ）、浴室乾燥装置１００は、再びステップＳ５０１の処理を行う。ここで、浴室乾燥装置１００は、直前にエリアＡＲ１の乾燥を実施した場合、次にエリアＡＲ２に対応する吹き出し口１１１ｂを特定する。このステップＳ５０５において、乾燥を実施していないエリアが残っていると判定される限り、浴室乾燥装置１００は、ステップＳ５０１からＳ３０８までの処理を繰り返す。これにより、例えばエリアＡＲ１→エリアＡＲ２→エリアＡＲ３→エリアＡＲ４の順番に乾燥がなされていく（図１０参照）。
【００８９】
一方、ステップＳ５０５において、全てのエリアＡＲ１、ＡＲ２、ＡＲ３、ＡＲ４について乾燥を実施したと判定されると（ステップＳ５０５：Ｙｅｓ）、浴室乾燥装置１００は、ステップＳ３０７以降の処理を行う。
【００９０】
以上のように、本実施の形態では、側壁・床面乾燥処理においても、気流が４つの吹き出し口１１１ａ、１１１ｂ、１１１ｃ、１１１ｄのうちのいずれか１つから側壁ＷＡまたは床面ＦＬへ供給される。これにより、循環用送風機モータ１０３ｂの回転数を低くしながらも、比較的高速の気流を側壁ＷＡまたは床面ＦＬに向かって流すことができるので、循環用送風機モータ１０３ｂの回転数を低減させることによる省エネルギ化を図ることができる。
【００９１】
ところで、排気送風機１０５が動作することにより、ドア２１のガラリ２２から浴室乾燥装置１００の吸い込み口１１２へ向かって流れる気流（図３の矢印Ｄ３１、Ｄ３２参照）が生じる。この気流は、浴室乾燥装置１００の吹き出し口（例えば吹き出し口１１１ａ）からドア２１へ向かう方向に流れる気流（例えば浴室１内のエリアＡＲ１へ流れる気流）を妨げ、エリアＡＲ１の乾燥を妨げる虞がある。
【００９２】
これに対して、本実施の形態では、側壁・床面乾燥処理において、気流が吹き出し口１１１ａから浴室１内のエリアＡＲ１へ供給される場合、排気送風機１０５を停止させる。これにより、ドア２１のガラリ２２から吸い込み口１１２へ向かって流れる気流が生じなくなるので、吹き出し口１１１ａから浴室１内のエリアＡＲ１へ流れる気流が他の気流により阻害されることなくエリアＡＲ１の側壁ＷＡおよび床面ＦＬ近傍での対流が促進される。従って、側壁ＷＡおよび床面ＦＬを早く乾燥させることができるので、カビ菌糸の発生を抑制できる。
【００９３】
以上、本発明の各実施の形態について説明したが、本発明は実施の形態によって限定されるものではない。
各実施の形態に係る浴室乾燥装置１００は、４つの吹き出し口１１１ａ、１１１ｂ、１１１ｃ、１１１ｄを備える例について説明したが、吹き出し口の数は４つに限定されるものではない。例えば、３つ以下であってもよいし、５つ以上であってもよい。
【００９４】
また、各実施の形態に係る浴室乾燥装置１００は、４つの吹き出し口１１１ａ、１１１ｂ、１１１ｃ、１１１ｄそれぞれの開口面積が略等しく、風向板１１０ａ、１１０ｂ、１１０ｃ、１１０ｄそれぞれの大きさも略等しい例について説明した。但し、複数の吹き出し口それぞれの開口面積が、例えば浴室１内における各吹き出し口から吹き出される気流により乾燥するエリアの大きさに基づいて、異なる大きさに設定されていてもよい。また、複数の吹き出し口それぞれに設けられた風向板の大きさも、例えば複数の吹き出し口それぞれを閉じることができる大きさに設定されていてもよい。
【００９５】
例えば図１６（ａ）に示すように、本変形例に係る浴室乾燥装置２００には、３つの吹き出し口２１１ａ、２１１ｂ、２１１ｃを備える構成がある。吹き出し口２１１ａは、他の２つの吹き出し口２１１ｂ、２１１ｃに比べて開口面積が大きい。各吹き出し口２１１ａ、２１１ｂ、２１１ｃには、風向板２１０ａ、２１０ｂ、２１０ｃが設けられている。風向板２１０ａは、吹き出し口２１１ａから出る気流に高い指向性を与える高指向性風向板であり、他の２つの風向板２１０ｂ、２１０ｃに比べて大きい。なお、風向板２１０ａ、２１０ｂ、２１０ｃは、それぞれ短手方向における片側且つ長手方向における両端部で、風向板駆動モータ２１３ａ、２１３ｂ、２１３ｃと、支持部２１４ａ、２１４ｂ、２１４ｃとで支持されている。
【００９６】
浴室乾燥装置２００は、図１６（ｂ）に示すように、筐体２０１の周壁２０１ａの内側が、隔壁２０１ｂにより、吸い込み口１１２に連通する領域Ｓ１と、吹き出し口（例えば２１１ａ）に連通する領域Ｓ２２とに区分けされている。領域Ｓ１には、ファン１０３ａ、１０５ａが配置されている。この浴室乾燥装置２００は、例えば浴室１の天井における側壁近傍に、吹き出し口２１１ａが当該側壁に対向する側壁を向くようにして設置される。
【００９７】
例えば、図１（ａ）および図１０に示すように、浴室１が、洗い場４を備えているとする。この場合、開口面積が大きい吹き出し口２１１ａが、洗い場４を含むエリアＡＲ１側となるように筐体２０１を天井ＣＥに設置するのが好ましい。この場合、風向板２１０ａは、浴室１内における洗い場４を含むエリア（洗い場エリア）ＡＲ１へ流れる気流を出す吹き出し口２１１ａに設けられるのが好ましい。
【００９８】
本構成によれば、風向板、風向板駆動モータおよび支持部の数を低減することができるので、部品点数の削減による構成の簡素化を図ることができる。
また、本構成によれば、風向板２１０ａが、浴室１内における洗い場４を含むエリア（洗い場エリア）ＡＲ１へ流れる気流を出す吹き出し口２１１ａに設けられ、吹き出し口２１１ａから出る気流に高い指向性を与える高指向性風向板である。これにより、洗い場４を含むエリアＡＲ１へ高い指向性が与えられた気流を流すことができるので、汚れやすい洗い場４の乾燥を促進し、洗い場４でのカビ菌糸の発生を抑制することができる。
【００９９】
実施の形態１では、熱交換器１０２へ供給する温水の流量は、天井乾燥処理、側壁・床面乾燥処理およびカビ抑制処理それぞれにおいて、略一定である例について説明したが、例えば浴室１内の湿度の変化に応じて変化させるものであってもよい。
【０１００】
例えば図１７に示すように、本変形例に係る浴室乾燥装置３００は、浴室１外に設置され、制御装置３５０を制御するリモコン３６１を備える。リモコン３６１は、浴室１の外部の浴室外温度を計測する第１温度センサ３６１ａと、浴室１の外部の浴室外湿度を計測する湿度センサ３６１ｂと、を有する。また、筐体３０１の内部には、吸い込み口１１２から筐体３０１の内部へ吸い込まれる空気の温度（浴室内温度）を計測する第２温度センサ３１５が設けられている。
【０１０１】
制御装置３５０は、実施の形態１と同様に、ポンプ１６４のインペラを回転させるインバータ回路（図示せず）と、インバータ回路を駆動するインバータ駆動部（図示せず）と、信号生成部１５７へ制御情報を出力することにより信号生成部１５７からインバータ駆動部に制御信号を供給する制御部３５１と、を備える。また、制御装置３５０は、第１温度センサ３６１ａ、湿度センサ３６１ｂおよび第２温度センサ３１５それぞれに信号線Ｌ３１、Ｌ３２、Ｌ３３を介して接続されたＡＤ（Ａｎａｌｏｇ  Ｄｉｇｉｔａｌ）コンバータ３５８とを有する。制御部３５１は、ＡＤコンバータ３５８を介して、第１温度センサ３６１ａ、湿度センサ３６１ｂおよび第２温度センサ３１５から供給される信号の示す温度または湿度を取得できる。
【０１０２】
次に、本変形例に係るカビ抑制処理の内容について、図１８を参照しながら説明する。なお、図１８において、実施の形態１と同様の処理については図１２と同じ符号を付している。
【０１０３】
浴室乾燥装置３００は、ステップＳ４０５の処理の後、浴室内温度Ｔ１と、浴室外温度Ｔ２および浴室外湿度Ｍ２を取得する（ステップＳ６０１）。具体的には、制御部３５１が、ＡＤコンバータ３５８を介して、第２温度センサ３１５、第１温度センサ３６１ａおよび湿度センサ３６１ｂから供給される信号の示す浴室内温度Ｔ１、浴室外温度Ｔ２および浴室外湿度Ｍ２を取得する。
【０１０４】
次に、浴室乾燥装置３００は、取得した浴室内温度Ｔ１、浴室外温度Ｔ２および浴室外湿度Ｍ２に基づいて、浴室内湿度Ｍ１を推定する（ステップＳ６０２）。具体的には、制御部３５１が、温度と湿度との相関関係を示す推定式を用いて浴室内湿度Ｍ１を推定する。この推定式は、例えば温度に対して湿度が単調減少する関数を表す式から構成される。
【０１０５】
続いて、浴室乾燥装置３００は、推定した浴室内湿度Ｍ１が予め設定された湿度上限値ＭＴ（Ｈ）よりも高いか否か（Ｍ１＞ＭＴ（Ｈ）であるか否か）を判定する（ステップＳ６０３）。湿度上限値ＭＴ（Ｈ）は、例えば４０％に設定される。
【０１０６】
ステップＳ６０３において、浴室内湿度Ｍ１が湿度上限値ＭＴ（Ｈ）よりも高いと判定されると（ステップＳ６０３：Ｙｅｓ）、浴室乾燥装置３００は、熱交換器１０２へ供給する温水の流量を増加させた後（ステップＳ６０４）、ステップＳ４０６以降の処理を行う。具体的には、制御部３５１は、現状より多い新たな温水流量を含む制御情報を、信号生成部１５７へ送信する。そして、信号生成部１５７は、第３インバータ駆動部１５６ｂへの制御信号の供給を開始する。信号生成部１５７は、予め保持している相関情報と受信した新たな温水流量とに基づいて、温水流量が新たな温水流量となるように制御信号を生成する。第３インバータ駆動部１５６ｂは、制御信号により第３インバータ回路１５６ａを駆動して、ポンプ１６４を新たな温水流量に対応した回転数で動作させる。これにより、温水供給管ＴＵ１を流れる温水の流量が増加する。
【０１０７】
一方、ステップＳ６０３において、浴室内湿度Ｍ１が湿度上限値ＭＴ（Ｈ）よりも低いと判定されると（ステップＳ６０３：Ｎｏ）、浴室乾燥装置３００は、浴室内湿度Ｍ１が湿度下限値ＭＴ（Ｌ）よりも低いか否か（Ｍ１＜ＭＴ（Ｌ）であるか否か）を判定する（ステップＳ６０５）。湿度下限値ＭＴ（Ｌ）は、例えば５％に設定される。
【０１０８】
ステップＳ６０５において、浴室内湿度Ｍ１が湿度下限値ＭＴ（Ｌ）よりも低いと判定されると（ステップＳ６０５：Ｙｅｓ）、浴室乾燥装置３００は、熱交換器１０２へ供給する温水の流量を減少させた後（ステップＳ６０６）、ステップＳ４０６以降の処理を行う。具体的には、制御部３５１が、現状より少ない新たな温水流量を含む制御情報を、信号生成部１５７へ送信し、信号生成部１５７が、新たな温水流量に対応する制御信号を第３インバータ駆動部１５６ｂに供給する。第３インバータ駆動部１５６ｂは、制御信号により第３インバータ回路１５６ａを駆動して、ポンプ１６４を新たな温水流量に対応した回転数で動作させる。これにより、温水供給管ＴＵ１を流れる温水の流量が減少する。
【０１０９】
一方、ステップＳ６０５において、浴室内湿度Ｍ１が湿度下限値ＭＴ（Ｌ）よりも高いと判定されると（ステップＳ６０５：Ｎｏ）、浴室乾燥装置３００は、そのままステップＳ４０６以降の処理を行う。
【０１１０】
本構成によれば、浴室１内の湿度に応じて、熱交換器１０２に供給する温水の流量を調節する。これにより、例えば浴室１内の湿度に関わらず熱交換器１０２に供給する温水の流量が一定である構成に比べて、浴室１内の湿度を速やかに低くすることができるので、カビ菌糸の発生を効果的に抑制できる。
【０１１１】
また、本構成によれば、浴室１内の湿度が湿度下限値ＭＴ（Ｌ）よりも低くなると熱交換器１０２へ供給する温水の流量を減少させる。これにより、熱交換器１０２へ供給する温水の流量を不必要に大きい状態で維持することがなく、ポンプ１６４の回転数を最低限必要な回転数で推移させることができる。従って、ポンプ１６４での消費電力量の低減を図ることができる。
【０１１２】
なお、上記変形例では、浴室乾燥装置３００が、浴室内湿度Ｍ１を、浴室内温度Ｔ１、浴室外温度Ｔ２および浴室外湿度Ｍ２に基づいて推定する例について説明したが、浴室乾燥装置が浴室内湿度Ｍ１を取得する方法はこれに限定されるものではない。例えば、浴室１内に湿度センサ（図示せず）を設けて、浴室乾燥装置が、当該湿度センサから浴室内湿度Ｍ１を取得する構成であってもよい。本構成によれば、浴室乾燥装置において浴室内湿度Ｍ１を推定する処理を省略することができるので、浴室乾燥装置、特に、制御部３５１の処理負荷の軽減を図ることができる。
【０１１３】
各実施の形態では、天井乾燥処理において熱交換器１０２に温水を供給しない例について説明したが、天井乾燥処理において熱交換器１０２に温水を供給する構成であってもよい。
【０１１４】
例えば図５に示す設定情報テーブルＴＡにおいて、運転モード識別情報ＩＤＡに対応する温水流量を、適当な流量（例えば流量Ｑ１）に設定すればよい。そして、浴室乾燥装置は、例えば図８に示す天井乾燥処理のステップＳ２０２において、温水流量を取得した後、熱交換器１０２への温水供給を開始するようにすればよい。
【０１１５】
本構成によれば、天井乾燥処理において、熱交換器１０２へ温水を供給することにより、天井ＣＥに沿って流れる高速気流の湿度を低下させることができる。これにより、天井ＣＥの乾燥を促進できる。また、天井ＣＥに沿って流れる高速気流の温度が上昇することにより、天井ＣＥの温度が上昇する。これにより、天井ＣＥに付着している水滴ＷＤの蒸散を促し天井ＣＥの乾燥時間を短縮できる。
【０１１６】
また、気流の湿度を低下させる方法は各実施の形態で説明した方法に限定されるものではなく、例えば、熱交換器１０２に冷水または低温の冷媒を供給する構成であってもよい。この場合、空気中の水分を熱交換器１０２表面に結露させることにより、気流の除湿を行う。
本構成によれば、浴室１内へ送る空気の湿度を低下させるとともに温度も低下させることができるので、特に、夏期においてユーザが不快感を覚えることなく浴室乾燥を行うことができる。また、熱交換器１０２に供給する流体は温水に限定されるものではなく、例えばヒートポンプにより冷却された冷媒であってもよい。
【０１１７】
各実施の形態では、熱交換器１０２に温水を供給する例について説明したが、熱交換器１０２に供給する熱媒体の種類はこれに限定されるものではなく、例えばフロン等の冷媒であってもよい。
【０１１８】
各実施の形態の温水供給源５は、ガス瞬間湯沸器に限らず、例えば、貯湯式給湯器やヒートポンプ式給湯器であってもよい。また、熱交換器１０２は、ガス瞬間湯沸器、貯湯式給湯器またはヒートポンプ式給湯器のいずれにも接続可能な構成であってもよい。
【０１１９】
各実施の形態では、ガス瞬間湯沸器で生成される温水を直接熱交換器１０２へ供給する例について説明したが、熱交換器１０２への熱輸送方法はこれに限定されるものではない。例えば、ガス瞬間湯沸器で生成される温水や貯湯式給湯器で生成される温水と、熱交換器を介して熱交換されたブライン（二次冷媒）を、熱交換器１０２へ供給することにより、熱交換器１０２への熱輸送を行うものであってもよい。
【０１２０】
各実施の形態では、排気送風機１０５が、循環用送風機１０３の上方に配置され、循環用送風機１０３と共通する吸い込み口１１２から吸い込まれた空気を排気する例について説明したが、排気送風機１０５の配置はこれに限定されるものではない。例えば、排気送風機１０５は、循環用送風機１０３の側方に配置されるものであってもよい。或いは、排気送風機１０５は、循環用送風機１０３の吸い込み口１１２とは別の他の吸い込み口から浴室１内の空気を吸い込む構成であってもよい。
【０１２１】
各実施の形態では、風向板１１０ａ、１１０ｂ、１１０ｃ、１１０ｄの傾きを変えることができる例について説明したが、風向板１１０ａ、１１０ｂ、１１０ｃ、１１０ｄの構成はこれに限定されるものではない。例えば、複数の吹き出し口それぞれに設けられた風向板が、気流を天井ＣＥに沿った方向、水平方向或いは鉛直方向へ流す傾きで固定されていてもよい。この場合、複数の吹き出し口から、天井ＣＥに沿った方向を含む多方向への気流が出るので、天井ＣＥも乾燥させることができる。
【０１２２】
或いは、図１９（ａ）および（ｂ）に示すように、浴室乾燥装置４００が，周壁４０１ａ、隔壁４０１ｂを有する筐体４０１の吹き出し口４１１ａの下方に、ワイヤ４１７ａを介して筐体１０１の周壁４０１ａに連結されたグリル部４１０を備えていてもよい。この構成では、筐体１０１とグリル部４１０との間の距離を変更することにより、気流の方向を変化させることができる。
【０１２３】
グリル部４１０は、例えば一面が開放された扁平箱型の形状を有する。グリル部４１０の底部における、吸い込み口１１２に対応する位置に第１開口部４１０ｅが設けられ、吹き出し口（例えば４１１ａ、４１１ｃ）に対応する位置に第２開口部４１０ａ、４１０ｃが設けられている。第２開口部４１０ａ、４１０ｃには、蓋部４１５ａ、４１５ｂが設けられている。また、グリル部４１０の側壁には、第３開口部（例えば４１６ａ、４１６ｃ）が設けられている。グリル部４１０は、筐体４０１の下方に配置される。グリル部４１０は、図１９（ａ）に示すように、底部が筐体４０１の周壁４０１ａの下端に略当接した第１状態と、図１９（ｂ）に示すように、底部が筐体４０１の周壁４０１ａの下端から離間した第２状態と、を取り得る。グリル部４１０にはワイヤ４１７ａが接続されている。ワイヤ４１７ａの一部は、筐体４０１の周壁４０１ａに設けられたワイヤ巻き取り機４１７ｂにより巻き取られている。ワイヤ巻き取り機４１７ｂによるワイヤ４１７ａの巻き取り量を調節することにより、グリル部４１０を第１状態および第２状態のいずれかにすることができる。
【０１２４】
図１９（ａ）に示すように、グリル部４１０が第１状態にあり蓋部４１５ａ、４１５ｃが開いているとする。この場合、第１開口部４１０ｅを介して吸い込み口１１２から吸い込まれた空気（図１０（ａ）中の破線矢印Ｄ４１参照）が、吹き出し口４１１ａから第２開口部４１０ａ、４１０ｃを介して吹き出される（図１０（ａ）中の破線矢印Ｄ４２参照）。一方、図１９（ｂ）に示すように、グリル部４１０が第２状態にあり蓋部４１５ａ、４１５ｃが閉じている。この場合、第１開口部４１０ｅを介して吸い込み口１１２から吸い込まれた空気（図１０（ａ）中の破線矢印Ｄ４１参照）が、吹き出し口４１１ａから第３開口部４１６ａ、４１６ｃを介して吹き出される（図１０（ａ）中の破線矢印Ｄ４３参照）。
【０１２５】
各実施の形態では、４つの吹き出し口１１１ａ、１１１ｂ、１１１ｃ、１１１ｄのいずれか１つだけを開状態にして他の３つを閉状態として１つの吹き出し口に気流を集中させることにより高速気流を生成する例について説明した。但し、高速気流を生成する方法はこれに限定されるものではなく、例えば循環用送風機１０３の循環用送風機モータ１０３ｂの回転数を上昇させることにより高速気流を生成する構成であってもよい。或いは、１つの吹き出し口に気流を集中させる方法と、循環用送風機モータ１０３ｂの回転数を上昇させる方法とを併用することにより、高速気流を生成する構成であってもよい。また、開状態にする吹き出し口の数は、１つに限定されず、２つまたは３つであってもよい。
【０１２６】
各実施の形態では、側壁・床面乾燥処理において、側壁乾燥を行った後に、床面乾燥を行う例について説明したが、側壁乾燥、床面乾燥を行う順序はこれに限定されるものではなく、床面乾燥を行った後に側壁乾燥を行う構成であってもよい。
【０１２７】
実施の形態２では、浴室乾燥装置が、気流をガラリ２２に向けて流す場合（例えば図１０のエリアＡＲ１に向けて流す場合）に、排気送風機１０５を停止させる例について説明したが、排気送風機１０５を停止させる構成に限定されるものではない。例えば、浴室乾燥装置が、気流をガラリ２２に向けて流す場合、排気送風機１０５の排気量を予め設定された排気量閾値以下にして排気を継続するいわゆる低速運転を行う構成であってもよい。ここで、排気量閾値は、ガラリ２２に向けて流れる気流の速度に基づいて決定すればよい。気流の速度が速いほど、排気量閾値を高く設定することができる。
【０１２８】
本構成によれば、気流がガラリ２２に向けて流される場合も浴室１内の空気の定量置換が継続して行われるので、浴室１の外部の湿度の低い空気を浴室１内に取り込み続けることができる。従って、浴室１内の乾燥を早めることができるので、その分、カビ菌糸の発生を効果的に抑制できる。
【０１２９】
実施の形態１および２では、天井乾燥処理時において熱交換器１０２へ温水を供給する例について説明したが、これに限定されず、例えば天井乾燥処理時において熱交換器１０２への温水供給を停止する構成であってもよい。この場合、例えば図５に示す設定情報テーブルにおいて、天井乾燥乾燥を示す「ＩＤＡ」に対応する温水流量を「０」に設定すればよい。
本構成によれば、天井乾燥処理時においてポンプ１６４の動作を停止させるので、ポンプ１６４での消費電力の低減を図ることができる。
【０１３０】
また、本発明に係る浴室乾燥装置が実現する各種機能は、専用のシステムによらず、通常のコンピュータシステムを用いて実現可能である。例えば、ネットワークに接続されているコンピュータに、上記動作を実行するためのプログラムを、コンピュータシステムが読み取り可能な非一時的な記録媒体（ＣＤ−ＲＯＭ等）に格納して配布し、当該プログラムをコンピュータシステムにインストールすることにより、上述の処理を実行する浴室乾燥装置を構成してもよい。
【０１３１】
また、コンピュータにプログラムを提供する方法は任意である。例えば、プログラムは、通信回線の掲示版（ＢＢＳ）にアップロードされ、通信回線を介してコンピュータに配信されてもよい。そして、コンピュータは、このプログラムを起動して、ＯＳの制御の下、他のアプリケーションと同様に実行する。これにより、コンピュータは、上述の処理を実行する浴室乾燥装置として機能する。
【符号の説明】
【０１３２】
１  浴室、３  浴槽、４  洗い場、５  温水供給源、２１  ドア、２２  ガラリ、１００、２００、３００、４００  浴室乾燥装置、１０１  筐体、１０１ａ  周壁、１０１ｂ  隔壁、１０２  熱交換器、１０３  循環用送風機、１０３ａ、１０５ａ  ファン、１０３ｂ  循環用送風機モータ、１０５  排気送風機、１０５ｂ  排気送風機モータ、１０５ｃ  ダクト、１１０ａ、１１０ｂ、１１０ｃ、１１０ｄ  風向板、１１１ａ、１１１ｂ、１１１ｃ、１１１ｄ、２１１ａ、２１１ｂ、２１１ｃ  吹き出し口、１１２  吸い込み口、１１３ａ、１１３ｂ、１１３ｃ、１１３ｄ  風向板駆動モータ、１１４ａ、１１４ｂ、１１４ｃ、１１４ｄ  支持部、１５０  制御装置、１５１  制御部、１５１ａ  タイマ、１５２  記憶部、１５３ａ  第１インバータ回路、１５３ｂ  第１インバータ駆動部、１５４ａ、１５４ｂ、１５４ｃ、１５４ｄ  モータ駆動部、１５５ａ  第２インバータ回路、１５５ｂ  第２インバータ駆動部、１５６ａ  第３インバータ回路、１５６ｂ  第３インバータ駆動部、１５７  信号生成部、１６４  ポンプ、ＣＥ  天井、ＦＬ  床面、ＤＡ１  対象運転モード識別情報、ＤＡ２  対象吹き出し口識別情報、ＴＡ  設定情報テーブル、ＷＡ  側壁
【図４】
2016090130.tif 000003
【図５】
2016090130.tif 000004
【図７】
2016090130.tif 000005
【図８】
2016090130.tif 000006
【図９】
2016090130.tif 000007
【図１１】
2016090130.tif 000008
【図１２】
2016090130.tif 000009
【図１３】
2016090130.tif 000010
【図１４】
2016090130.tif 000011
【図１５】
2016090130.tif 000012
【図１８】
2016090130.tif 000013
【図１】
2016090130.tif 000014
【図２】
2016090130.tif 000015
【図３】
2016090130.tif 000016
【図６】
2016090130.tif 000017
【図１０】
2016090130.tif 000018
【図１６】
2016090130.tif 000019
【図１７】
2016090130.tif 000020
【図１９】
2016090130.tif 000021